(57)【要約】本発明の目的は、所与の地域において加入者が受信した信号のオリジンを決定するシステムと方法を提案することである。この目的は、メインオペレータのところに置かれた暗号化手段と、暗号化されたビデオ信号を少なくとも一つのローカルオペレータに送信する送信手段と、このローカルオペレータのところにある暗号解読手段とを備え、この暗号解読手段が、この解読されたビデオ信号の一部又は全部をこの暗号解読手段を特徴付ける識別信号で置き換える識別手段を備えることを特徴とするシステムによって達成される。
2004530324.tif 000002
【特許請求の範囲】
【請求項１】
加入者に放送された信号のオリジンを識別するシステムであり、前記システムは、メインオペレータにおける暗号化手段と、暗号化されたビデオ信号を少なくとも一つのローカルオペレータに送信する送信手段と、前記ローカルオペレータにおける暗号解読手段とを備え、前記ローカルオペレータは、その加入者に対して放送する解読済み信号を有し、前記暗号解読手段が、前記解読されたビデオ信号の一部又は全部を、前記暗号解読手段を特徴付ける識別信号で置き換える置き換え手段を備えることを特徴とする、前記システム。
【請求項２】
前記暗号解読手段が、暗号解読モジュールとセキュリティモジュールとを備えることを特徴とする、請求項１に記載の信号のオリジンを識別するシステム。
【請求項３】
前記識別信号が、前記暗号解読モジュールの識別子と前記セキュリティモジュールの識別子とを含むことを特徴とする、請求項２に記載の信号のオリジンを識別するシステム。
【請求項４】
前記識別信号が、前記画面上のランダムに画定されたエリアに位置付けされることを特徴とする、請求項１から３に記載の信号のオリジンを識別するシステム。
【請求項５】
前記識別信号が、背景などの現行の画像をオーバレイすることを特徴とする、請求項１から３に記載の信号のオリジンを識別するシステム。
【請求項６】
加入者に放送された信号のオリジンを識別する方法において、前記方法が：
メインオペレータによってビデオ信号を暗号化する段階と；
前記暗号化された信号を複数のローカルオペレータに送信する段階と；
イネーブルされたローカルオペレータ（ＯＰＬ１、ＯＰＬ２）の暗号解読モジュール（ＭＳ１、ＭＳ２）によって、前記暗号化された信号を解読し、また、前記解読された信号を処理する段階と；
該信号を前記ローカルオペレータ（ＯＰＬ１、ＯＰＬ２）に放送する段階と；
を含み、
前記暗号解読モジュールが、前記解読された信号の全部又は一部を、前記暗号解読モジュールを識別する識別信号で置き換えることを特徴とする；
前記方法。
【請求項７】
前記識別信号が、画像中の任意の領域において前記解読された信号によって形成された画像の一部に取って代わることを特徴とする、請求項６に記載の方法。
【請求項８】
前記識別信号が、背景などの現行の画像をオーバレイすることを特徴とする、請求項６に記載の方法。
【請求項９】
前記メインオペレータによって、識別コマンドを一つ又は複数の暗号解読モジュールに送ることを特徴とする、請求項６から８に記載の方法。
【発明の詳細な説明】
【技術分野】
【０００１】
本発明は、複数の介在者を用いて情報信号を分配する技術分野に関し、より詳しくは、この信号のオリジンを疑問の余地なく決定する技術分野に関する。
【背景技術】
【０００２】
有料テレビ放送の場合、複数の介在者が協働し、これで、加入者が所望の発信内容を受信できるようにしている。
【０００３】
これらの介在者の内、第一に、重要なテレビチャネルを申し込むのは、メインオペレータ、すなわち全国オペレータであるということである。二つ以上の全国オペレータが同じチャネルを申し込むことが可能であることを知るべきである。
【０００４】
これらの全国オペレータは、このチャネルの創設者であるか、又は、他のローカル又は外国の放送局との放送契約に署名することが可能な人であるかのどちらかである。
【０００５】
このように、これらの全国オペレータは、ローカルオペレータにサービスパレットを申し込むが、後者は、ある数の加入者に接続されている。
【０００６】
ローカルオペレータは、複数の地域でアクティブであり得るが、このオペレータを全国オペレータに対して拘束する契約は、一般に、チャネルが放送される対象となる加入者の数に基づいて、又は、地理的な定義にしたがって結ばれる。
【０００７】
したがって、ローカルオペレータは、自身が地域Ｂと地域Ｃで放送しながらも、地域Ａでの放送契約に署名することが可能である。
【０００８】
すると、技術的には、このオペレータにとって、全国オペレータの介在が不可能な状態で地域Ｂと地域Ｃでも放送する可能性が存在する。
【０００９】
これは特に、地域Ｂにおける非合法で放送されたチャネルもまた、別の全国オペレータによって別のローカル放送局を介して申し込まれる場合に当てはまる。この場合、メインオペレータにとっては、地域Ｂで受信した信号が地域Ａに対してだけ署名された契約によるものであるか、別の全国オペレータからのものであるか知ることが困難となる。事実、加入者は各々が、二つ以上のローカルオペレータに接続することが可能であるが、後者は、多くの全国オペレータから供給を受ける。
【００１０】
全国オペレータが、自身の信号をローカルオペレータに対して暗号化された形態で送信することは公知である。暗号解読動作をするために、暗号解読手段が全国オペレータから供給されるが、これらの手段は暗号解読モジュールとスマートカードからなり、後者はアクセス制御を確実化する任務を担当する。いったん信号が暗号解読手段によって解読されると、ローカルオペレータは、それを自由に処分することが可能となる。すると、ローカルオペレータは、複数の全国オペレータから提供されるチャネルを選択してそのテレビブーケを構成することが可能となる。
【発明の開示】
【発明が解決しようとする課題】
【００１１】
本発明の目的は、所与の地域において加入者が受信した信号のオリジンを決定するシステムと方法を提案することである。
【００１２】
この目的は、メインオペレータのところに置かれた暗号化手段と、暗号化されたビデオ信号を少なくとも一つのローカルオペレータに送信する送信手段と、前記ローカルオペレータのところにある暗号解読手段とを備え、前記暗号解読手段が、前記解読されたビデオ信号の一部又は全部を、前記暗号解読手段を特徴付ける識別信号で置き換える識別手段を備えることを特徴とするシステムによって達成される。
【００１３】
識別信号とは、画面のいずれかの領域に付加された可視署名のことであると理解される。この信号は、画面の底部又は実像をオーバレイする背景に位置するテキストフィールドという形態を取り得る。
【００１４】
この信号がビデオ信号に付加されると、チャネルの放送対象となるすべての加入者にとって、自分の画面上に現れる識別メッセージが見える。
【００１５】
加入者に送信されたデータのオリジンを追跡可能とするために、このメッセージは、メインオペレータの信号の解読を担当する暗号解読手段に固有の識別子を包含する。
【００１６】
このように、後者は、任意の加入者にとって利用可能なチャネルが、任意のローカルオペレータに対するその送信の結果であることを立証するようにしてもよい。
【００１７】
前記の例によれば、地域Ｂの加入者は、ローカルオペレータとの契約が遵守されているかどうかを決定するテストとして働く。彼／彼女の画面上に識別メッセージが現れれば、ローカルオペレータは、地域Ａに制限されていたその契約を遵守していなかったことになる。
【００１８】
本発明は、一つの図が、複数の介在者によって放送する有料テレビのシステムを表している、非制限的な例として与えられている添付図面を参照する以下の詳細な説明を読めばよりよく理解されるであろう。
【発明を実施するための最良の形態】
【００１９】
左側に二つのメインオペレータＯＰＰ１とＯＰＰ２がある。これらのオペレータは、自身の放送チャネルを、ＯＰＬ１とＯＰＬ２で表されるすべてのローカルオペレータに対して提案する。
【００２０】
前記メインオペレータとローカルオペレータ間のリンクは、たとえば、衛星やケーブルで達成される。多くのローカルオペレータは、これらの信号を受信することが可能であり、それがゆえに、データを暗号化してその使用を制御する必要がある。
【００２１】
この目的のため、暗号解読モジュールＭＳがローカルオペレータのところに置かれて、メインオペレータによって暗号化された信号の暗号解読を担当している。このモジュールは、有料テレビデコーダという形態を有し、また、スマートカードという形態を有するセキュリティモジュールにリンクされる。このカードには、暗号解読モジュールに含まれる暗号プロセッサの機能にとって必要なキーが含まれている。
【００２２】
このようにして、ローカルオペレータとの合意に署名するメインオペレータもその各々が、ローカルオペレータの敷地内にこのような暗号解読モジュールＭＳを設置する。この暗号解読モジュールＭＳから出てくる信号は平文であり、したがって、この段階ではメインオペレータはなんら他の制御を実行することはできない。
【００２３】
ローカルオペレータは、複数のメインオペレータ（ＯＰＰ１、ＯＰＰ２）から獲得した複数のチャネルの集合であるその申し込み内容を構成して、それを、それに固有の手段とプロトコルにしたがって暗号化する。
【００２４】
この新たな信号は、次に、さまざまな手段によって、たとえば、ケーブル又は無線中継ネットワークによって、このオペレータの目標とする地域（ＲＡ、ＲＢ、ＲＣ）に放送される。
【００２５】
加入者の端には、ローカルオペレータの信号の解読を担当する最終デコーダ（ＳＴＢ）が存在する。
【００２６】
図１の例によれば、地域Ｂ（ＲＢ）は、二つのローカルオペレータ、すなわちオペレータＯＰＬ１又はＯＰＬ２から供給を受ける。
【００２７】
メインオペレータＯＰＰ１は、地域Ａ（ＲＡ）に対するオペレータＯＰＬ１とのチャネルＳの放送合意に署名する。ここで、このチャネルは、地域Ｅ（ＲＥ）に対するローカルオペレータＯＰＬ２との合意に署名するメインオペレータＯＰＰ２によって等しく提案されることに注意されたい。
【００２８】
チャネルＳもまた地域Ｂで放送される場合、メインオペレータＯＰＰ１にとって、デコーダＳＴＢがチャネルＳをオペレータＯＰＬ１から受信しているかＯＰＬ２から受信しているか知ることは困難であるが、ここで、後者もまた他の地域でチャネルＳを放送することが可能である。さらに、デコーダＳＴＢｙとＳＴＢｘは、事実上、同じデコーダであるということも起こり得るが、後者は双方のローカルオペレータからの加入権を有している。
【００２９】
この構成は、ローカルオペレータＯＰＬ２は、オペレータＯＰＰ１とＯＰＰ２のどちらかとの地域Ｂに対する放送合意に書名することが可能であるという事実のため、なおさら複雑なものとなる。メインオペレータによって放送される信号にロゴを付加するという事実だけでは、各地域に対する合意が遵守されているかどうかを決定することが不可能である。
【００３０】
だから、本発明によって、メインオペレータＯＰＬ１は、コマンドを暗号解読モジュールＭＳ１に送り、これで、このモジュールを識別する信号が、この暗号解読モジュールＭＳ１から発行された信号を受信するデコーダの画面に付加されるようにする。
【００３１】
この識別は、一般に、暗号解読モジュールの識別番号とセキュリティモジュール(スマートカード）の番号とからなっている。このようにして、これらの番号によって、デコーダから所与の地域へのチャネルＳのオリジンが疑問の余地なく証明される。この識別は、加入者の邪魔にならないように数秒間だけ続く。
【００３２】
この持続時間は、暗号解読モジュール自身によって又はメインオペレータが送ったコマンドによって管理して、この機能を解除することが可能である。
【００３３】
第一の実施形態によれば、この信号によって、画像の底部部分が英数字タイプのこれら指示内容と置き換えられる。
【００３４】
この情報によって修正された領域をランダムに選択し、これによって、ローカルオペレータが、識別モードを検出したり、また、対応する部分を宣伝テキストと置き換えたりすることを防止することが可能である。
【００３５】
第二の実施形態によれば、識別データが画像上の背景中に付加される。これで、ローカルオペレータは、この情報を隠すことが可能となる。
【００３６】
一実施形態によれば、メインオペレータによって送られたコマンドはグローバルなコマンドと呼ばれる、すなわち、すべての暗号解読モジュール（ＭＳ１、ＭＳ１’）を反応させる。
【００３７】
別の実施形態によれば、メインオペレータによって送られたコマンドは選択的なコマンドと呼ばれる、すなわち、コールされた暗号解読モジュールだけを反応させる。
【国際公開パンフレット】
2004530324.tif 000003
2004530324.tif 000004
2004530324.tif 000005
2004530324.tif 000006
2004530324.tif 000007
2004530324.tif 000008
2004530324.tif 000009
2004530324.tif 000010
2004530324.tif 000011
2004530324.tif 000012
2004530324.tif 000013
【国際調査報告】
2004530324.tif 000014
2004530324.tif 000015
2004530324.tif 000016
2004530324.tif 000017
2004530324.tif 000018
2004530324.tif 000019